(57)【要約】【課題】フレーム間圧縮された映像データを配信する場合に、映像受信装置における処理負荷と、再生に要するメモリ容量を低減することを可能とする。【解決手段】映像蓄積配信サーバ６のＣＰＵ６１は、フレーム間圧縮された映像データ１０１をＧＯＶデータ１０２ごとにデータメモリ６２に記憶する。そして、記憶されたＧＯＶデータ１０２からヘッダとＩ−ＶＯＰとを合わせたデータサイズ（Ｉのみ配信サイズ）を計算する。この計算されたＩのみ配信サイズを含む付加情報１０３を各ＧＯＶデータ１０２にそれぞれ付与して記憶装置７に記憶する。そして、早送り再生等の要求を受信すると、記憶装置７から該当する付加情報１０３をデータメモリ６２に読み出す。この読み出された付加情報１０３に含まれるＩのみ配信サイズに従って配信データ１０４を生成し、生成された配信データを要求元の映像受信装置４にネットワーク1を介して送信する。【選択図】      図４
2006217329.tif 000002
【特許請求の範囲】
【請求項１】
ヘッダと単独で復号可能なフレームとフレーム間圧縮された複数フレームとからなる一塊のデータの繰り返しからなる映像データを映像受信装置へ配信する映像配信装置であって、
前記一塊のデータに含まれるヘッダと単独で復号可能なフレームとを合わせたデータサイズを求める手段と、
少なくとも前記求められたデータサイズを含む付加情報を作成する手段と、
前記一塊のデータと前記作成された付加情報とを合わせて単位データとする手段と、
前記映像受信装置からの配信要求に応じて、前記単位データのうち、ヘッダと単独で復号可能なフレームを前記作成された付加情報をもとに抽出する手段と、
前記抽出されたヘッダとフレームを前記映像受信装置へ配信する手段と
を具備することを特徴とする映像配信装置。
【発明の詳細な説明】
【技術分野】
【０００１】
この発明は、例えば、フレーム間圧縮された映像を通信ネットワークを介して接続される映像受信装置に配信する映像配信装置に関する。
【背景技術】
【０００２】
従来から、ホテルやビル、コンビニエンスストアや金融機関、あるいはダムや道路といった公共施設には、犯罪抑止や事故防止等の目的で、映像監視システムが設置されている。このシステムでは、監視カメラにより撮影された映像が監視センタに伝送され、監視者は伝送されたカメラ映像を監視し、必要に応じて注意や警告をしたり、映像を録画・保存するものである。
【０００３】
近年、こうした映像監視システムの分野において、監視カメラ映像をディジタル化し、インターネットに代表されるＩＰネットワークを介して、映像を伝送し監視を行うネットワーク型映像監視システムの普及が進みつつある。また、現在、主流となっているネットワーク型映像監視システムは、監視カメラに接続された映像発信装置から映像受信装置に向けて、ネットワークを介してライブ映像を配信するものである。このネットワーク型映像監視システムは、常駐の監視者が常時この映像を視聴し、問題発生時に状況に応じた対応をする監視形態に適している。
【０００４】
その一方で、上述のライブ映像監視を主体とする「ライブ型監視」の他に「監視映像を記録・保存し、問題発生時に時間を遡って記録映像を見る」といった監視形態もあり、金融機関や商店を中心に「記録型監視」の顧客ニーズが存在する。こうした「記録型監視」ニーズに対応可能な映像配信装置が提案されている（特許文献１を参照。）。
【０００５】
【特許文献１】特開２００３−３０９８４７号公報
【発明の開示】
【発明が解決しようとする課題】
【０００６】
一般的に、記録型監視システムに用いられる映像配信装置では、例えば、ＭＰＥＧ（Moving Picture Experts Group）等のフレーム間圧縮技術が用いられている。これにより、配信されるデータ量は削減される。しかしながら、早送り再生、巻戻し再生、或いは逆再生のような特殊な再生を行う場合であっても、フレーム間が圧縮されているため、すべての映像データを映像受信装置に送信しなければならない。このため、映像受信装置における受信処理にかかる負荷や必要なメモリ容量の増大などの問題がある。
【０００７】
この発明は、上記事情に着目してなされたもので、その目的は、フレーム間圧縮された映像データを配信する場合に、映像受信装置における処理負荷と、再生に要するメモリ容量を低減することを可能とする映像配信装置を提供することにある。
【課題を解決するための手段】
【０００８】
上記課題を解決するためにこの発明に係わる映像配信装置は、ヘッダと単独で復号可能なフレームとフレーム間圧縮された複数フレームとからなる一塊のデータの繰り返しからなる映像データを映像受信装置へ配信する映像配信装置であって、上記一塊のデータに含まれるヘッダと単独で復号可能なフレームとを合わせたデータサイズを求める。次に、少なくとも上記求められたデータサイズを含む付加情報を作成し、上記一塊のデータと作成された付加情報とを合わせて単位データとする。そして、上記映像受信装置からの配信要求に応じて、上記単位データのうち、ヘッダと単独で復号可能なフレームを上記作成された付加情報をもとに抽出して、この抽出されたヘッダとフレームを上記映像受信装置へ配信するようにしたものである。
【０００９】
このように構成することにより、映像配信装置からは、作成された付加情報をもとにヘッダと単独で復号可能なフレームとが抽出され、この抽出されたヘッダとフレームが映像データとして配信される。すなわち、単独で復号できないフレームを除いた映像データが配信されることによりデータ量が減少する。このため、上記映像受信装置において、受信処理にかかる負荷の軽減、及び再生に要するメモリ容量を節約することができる。また、映像配信装置と映像受信装置とが伝送路を介して接続される場合には、伝送路に送られるデータ量が削減されるため、例えば、映像配信装置からの同時配信数が増加する等、ネットワーク帯域を有効に利用することが可能となる。
【発明の効果】
【００１０】
したがって、フレーム間圧縮された映像データを配信する場合に、映像受信装置における処理負荷と、再生に要するメモリ容量を低減することを可能とする映像配信装置を提供することができる。
【発明を実施するための最良の形態】
【００１１】
図１は、この発明に係わる映像蓄積配信サーバを用いた映像蓄積配信システムの概略構成図である。この映像蓄積配信システムは、ネットワーク１と、映像生成装置２と、映像発信装置３と、映像受信装置４と、表示装置５と、映像蓄積配信サーバ６と、記憶装置７とを備える。ネットワーク１は、例えば、ネットワークケーブルや無線ＬＡＮ、インターネット等の公衆回線により構成され、発信されたデータを伝送する。また、ネットワーク１には、ルータやハブ等のネットワーク機器も含まれる。映像発信装置３、映像受信装置４、及び蓄積配信サーバ６は、このネットワーク１に接続されることにより互いに通信可能である。
【００１２】
映像生成装置２は、例えば、撮像素子を備えるカメラ等により構成され、光を電気に変換して映像データを生成する機能を有する。映像発信装置３は、映像生成装置２からの入力映像の入力インターフェイスと画像コーデックとネットワークインターフェイスとを備えたエンコーダ装置であり、映像生成装置２から入力された映像データをネットワーク伝送に適した形に変換する。例えば、映像生成装置２からの入力映像がアナログ信号である場合にはディジタル変換処理を行なったり、ネットワーク１の伝送帯域に応じて圧縮処理を行なったりする。上記変換された映像データは、ネットワーク１を介して映像蓄積配信サーバ６に向けて送信される。
【００１３】
また、映像受信装置４は、後述する映像蓄積配信サーバ６に対して再生や早送り等の再生要求をネットワーク１を介して送信し、この再生要求に対して映像蓄積配信サーバ６から送られる映像データを受信して、表示装置５に出力する機能を有する。表示装置５は、テレビジョンモニタ、ＣＲＴモニタ、液晶表示器（ＬＣＤ）等により構成され、映像受信装置４から出力された映像信号を表示画面に表示する。
【００１４】
図３は、映像受信装置４の機能構成を示すブロック図である。映像受信装置４は、中央処理ユニット（ＣＰＵ：Central Processing Unit）４１を備える。このＣＰＵ４１にバス４６を介して、メモリ４２と画像コーデック４５とが接続され、さらにネットワークインターフェイス４３及び表示装置インターフェイス４４が接続される。
【００１５】
また、映像受信装置４は、ユーザからの再生指示の入力を受け付ける操作インターフェイス（図示せず）を備える。この操作インターフェイスは、例えば、キーボードやマウス、または、映像受信装置４に接続される制御盤端末により構成される。操作インターフェイスにより入力された再生指示は、電気信号に変換されてＣＰＵ４１に通知される。ＣＰＵ４１は、通知された再生指示に従って、ネットワークインターフェイス４３により映像蓄積配信サーバ６に対して再生要求を送信する。
【００１６】
上記再生要求に対して映像蓄積配信サーバ６からネットワーク１を介して到来した映像データは、ネットワークインターフェイス４３により受信される。映像受信装置４のＣＰＵ４１は、この受信された映像データをメモリ４２に取り込む。この際、上記映像データに対して圧縮処理が行なわれている場合には、画像コーデック４５により伸張処理を行い、再生データを生成する。表示装置インターフェイス４４は、上述の表示装置５への映像出力インターフェイスである。例えば、表示装置５がテレビモニタであった場合には、アナログ変換なども行う。
【００１７】
一方、図２は、映像蓄積配信装置６の機能構成を示すブロック図である。映像蓄積配信装置６は、中央処理ユニット（ＣＰＵ）６１を備える。このＣＰＵ６１にバス６５を介して、データメモリ６２とプログラムメモリ６４とが接続され、さらにネットワークインターフェイス６３及び記憶装置インターフェイス６６が接続される。
【００１８】
データメモリ６２は、ＲＡＭなどの一時記憶メモリにより構成される。ネットワークインターフェイス６３において取り込まれた映像発信装置３からの映像データは、一旦このデータメモリ６２に記憶され、後述する付加情報が付与されたのちに、記憶装置インターフェイス６６を介して記憶装置７に記憶される。プログラムメモリ６４には、この発明を実現するための制御プログラムである、映像蓄積プログラム６４ａ及び映像配信プログラム６４ｂが格納される。
【００１９】
映像蓄積プログラム６４ａは、映像発信装置３からネットワーク１を介して到来した映像データに対して再生可能なＧＯＶ（Group Of VOP）毎に付加情報を付与する。付加情報の詳細は後述する。そして、この付加情報が付与された映像データを記憶装置インターフェイス６６を介してＧＯＶ単位で記憶装置７にそれぞれ格納する。
【００２０】
また、映像配信プログラム６４ｂは、ネットワーク１を介して到来する映像受信装置４からの再生要求をネットワークインターフェイス６３により受信する。映像蓄積配信サーバ６のＣＰＵ６１は、この受信された再生要求に基づいて、記憶装置インターフェイス６６を介して記憶装置７から映像データをデータメモリ６２に取り込む。そして、取り込まれた映像データから配信データを生成して、生成された配信データをネットワークインターフェイス６３によりネットワーク１を介して映像受信装置４に向けて送信する。
【００２１】
記憶装置７は、例えば、ハードディスクやディスクアレイにより構成され、情報生成装置２により生成された映像データを記憶する機能を有する。また、記憶装置７は、ＳＣＳＩ（Small Computer System Interface）やＡＴＡ（AT Attachment）、ＦｉｂｒｅＣｈａｎｎｅｌ等の専用のインターフェイス、または、ＳＡＮ（Storage Area Network）やＮＡＳ（Network Attached Storage）等のＩＰネットワークを用いたインターフェイスによって映像蓄積配信サーバ６に接続されている。
【００２２】
次に、以上のように構成された映像蓄積配信システムにおける映像蓄積配信サーバ６の動作について説明する。まず、図４を参照して、映像蓄積配信サーバ６で扱われる映像データについて説明する。図４は、映像蓄積配信サーバ６により蓄積及び配信されるデータの構成を示したものである。同図において、映像発信装置３から映像蓄積配信サーバ６に対して、ＭＰＥＧのようなフレーム間の圧縮処理が行われた映像データ１０１が出力される。映像データ１０１は、ヘッダと、単独でデコード可能なＩ−ＶＯＰ（Video Object Plane）と、過去のフレームからの差分を符号化したＰ−ＶＯＰとを含むＧＯＶ（Group Of VOD）が連続して構成される。
【００２３】
（１）映像蓄積処理  
図１０は、映像蓄積配信サーバ６における映像蓄積の処理手順とその処理内容を示すフローチャートである。  
ステップＳ１０ａにおいて、映像蓄積配信サーバ６のＣＰＵ６１は、映像発信装置３からネットワーク１を介して送られる映像データ１０１をネットワークインターフェイス６３により取り込む。そうすると、映像蓄積配信サーバ６のＣＰＵ６１は、映像蓄積プログラム６４ａを実行して、取り込まれた映像データ１０１をＧＯＶデータ１０２ごとにデータメモリ６２に記憶する。
【００２４】
次に、ステップＳ１０ｂにより、上記記憶されたＧＯＶデータ１０２においてヘッダとＩ−ＶＯＰとを合わせたデータサイズ（Ｉのみ配信サイズ）を計算する。そして、ステップＳ１０ｃにより、管理番号として付されるＩＤ、取得時刻、ＧＯＶサイズ、及び上記計算されたＩのみ配信サイズを含む付加情報１０３を作成する。映像蓄積配信サーバ６のＣＰＵ６１は、ステップＳ１０ｄにより、この作成された付加情報１０３を各ＧＯＶデータにそれぞれ付与して記憶装置７に記憶させる。
【００２５】
（２Ａ）映像配信処理（早送り再生）  
図１１は、映像蓄積配信サーバ６における映像配信の処理手順とその処理内容を示すフローチャートである。これに先立ち、ユーザは、映像受信装置４において早送り再生指示を入力し、この入力により映像受信装置４は、早送り再生要求をネットワーク１を介して映像蓄積配信サーバ６に向け送信したものとする。ここで、早送り再生とは１倍速より高速の再生であり、ユーザが早送り再生中に映像を確認できるものとする。
【００２６】
これを受けて映像蓄積配信サーバ６のＣＰＵ６１は、ステップＳ１１ａにより、ネットワークインターフェイス６３により上記早送り再生要求を受信する。そうすると、映像蓄積配信サーバ６のＣＰＵ６１は、映像配信プログラム６４ｂを実行して、記憶装置インターフェイス６６を介して上記早送り再生要求に該当する映像データの付加情報１０３を記憶装置７から検索し、ヘッダとＩ−ＶＯＰとを合わせたデータサイズ（Ｉのみ配信サイズ）を読み込む。そして、ステップＳ１１ｃにおいて、上記読み込まれたデータサイズをもとにＧＯＶデータ１０２からＰ−ＶＯＰを除いた配信データ１０４を生成する。具体的には、例えば、ＧＯＶデータ１０２の先頭位置から上記読み込まれたデータサイズ分のデータを抽出する処理などを行う。この生成された配信データ１０４をステップＳ１１ｄにより、ネットワークインターフェイス６３によりネットワーク１を介して映像受信装置４に向けて送信する。
【００２７】
図５に、映像蓄積配信サーバ６から早送り再生時に配信されるデータの構成を示す。このように、映像蓄積配信サーバ６からの配信データ１００２は、付加情報とヘッダとＩ−ＶＯＰデータとを含む順方向のデータの集合により構成される。映像受信装置４は、この配信データ１００２をネットワーク１を介して受信して、画像コーデック４５によりデコードしたのち、デコードされたフレームデータ１００１を表示装置５に出力する。
【００２８】
（２Ｂ）映像配信処理（Ｉ−ＶＯＰのみの逆再生）  
次に、逆再生、つまり時間軸に対し逆方向の再生について説明する。ユーザは、映像受信装置４において逆再生指示を入力し、この入力により映像受信装置４は、逆再生要求をネットワーク１を介して映像蓄積配信サーバ６に向け送信したものとする。そうすると、映像蓄積配信サーバ６のＣＰＵ６１は、ネットワークインターフェイス６３により上記逆再生要求を受信する。そして、映像蓄積配信サーバ６は、上記逆再生要求に該当する映像データの付加情報を記憶装置７から検索し、ヘッダとＩ−ＶＯＰとを合わせたデータサイズを読み込み、読み込まれたデータサイズをもとに配信データを生成する。
【００２９】
図６に、映像蓄積配信サーバ６から逆再生時に配信されるデータの構成を示す。このように、映像蓄積配信サーバ６からの配信データ１１０２は、付加情報とヘッダとＩ−ＶＯＰデータとを含む逆方向のデータの集合により構成される。映像受信装置４は、この配信データ１１０２をネットワーク１を介して受信して、画像コーデック４５によりデコードしたのち、デコードされたフレームデータ１１０１を表示装置５に出力する。なお、映像受信装置４は、この逆再生をＰ−ＶＯＰを含む通常の逆再生速度と同じ速度でフレームデータ１１０１が更新されるように実行する。
【００３０】
（２Ｃ）映像配信処理（早巻き戻し再生）  
以下に、早巻き戻し再生について説明する。早巻き戻し再生とは、時間軸に対し逆方向の早送り再生であり、上述した早送り再生と同様にユーザが早巻き戻し再生中に映像を確認できるものとする。ユーザは、映像受信装置４において早巻き戻し再生指示を入力し、この入力により映像受信装置４は、早巻き戻し再生要求をネットワーク１を介して映像蓄積配信サーバ６に向け送信したものとする。そうすると、映像蓄積配信サーバ６のＣＰＵ６１は、ネットワークインターフェイス６３により上記早巻き戻しを受信する。そして、映像蓄積配信サーバ６は、上記早巻き戻し再生要求に該当する映像データの付加情報を記憶装置７から検索し、ヘッダとＩ−ＶＯＰとを合わせたデータサイズを読み込み、読み込まれたデータサイズをもとに配信データを生成する。
【００３１】
図７に、映像蓄積配信サーバ６から早巻き戻し再生時に配信されるデータの構成を示す。このように、映像蓄積配信サーバ６からの配信データ１２０２は、付加情報とヘッダとＩ−ＶＯＰデータとを含む逆方向のデータの集合により構成される。映像受信装置４は、この配信データ１２０２をネットワーク１を介して受信して、画像コーデック４５によりデコードしたのち、デコードされたフレームデータ１２０１を表示装置５に出力する。
【００３２】
（２Ｄ）映像配信処理（Ｉ−ＶＯＰのみの再生）  
次に、再生について説明する。ここでは、単独で再生可能なフレーム、つまりＩ−ＶＯＰのみを通常再生と等しいタイミングで再生する。ユーザは、映像受信装置４において再生指示を入力し、この入力により映像受信装置４は、再生要求をネットワーク１を介して映像蓄積配信サーバ６に向け送信したものとする。そうすると、映像蓄積配信サーバ６のＣＰＵ６１は、ネットワークインターフェイス６３により上記再生要求を受信する。そして、映像蓄積配信サーバ６は、上記再生要求に該当する映像データの付加情報を記憶装置７から検索し、ヘッダとＩ−ＶＯＰとを合わせたデータサイズを読み込み、読み込まれたデータサイズをもとに配信データを生成する。
【００３３】
図８に、映像蓄積配信サーバ６から再生時に配信されるデータの構成を示す。このように、映像蓄積配信サーバ６からの配信データ１３０２は、付加情報とヘッダとＩ−ＶＯＰデータとを含む順方向のデータの集合により構成される。映像受信装置４は、この配信データ１３０２をネットワーク１を介して受信して、画像コーデック４５によりデコードしたのち、デコードされたフレームデータ１３０１を表示装置５に出力する。なお、映像受信装置４は、この再生をＰ−ＶＯＰを含む通常の再生速度と同じ速度でフレームデータ１１０１が更新されるように実行する。
【００３４】
（３）静止画の一覧表示処理  
また、ユーザは、映像受信装置４において静止画の一覧表示指示を入力し、この入力により映像受信装置４は、ネットワーク１を介して静止画の一覧表示要求を映像蓄積配信サーバ６に向け送信したものとする。そうすると、映像蓄積配信サーバ６のＣＰＵ６１は、ネットワークインターフェイス６３により上記静止画の一覧表示要求を受信する。そして、映像蓄積配信サーバ６は、上記静止画の一覧表示要求に該当する一定時間間隔（例えば３０分間隔）で映像データの付加情報を記憶装置７からそれぞれ検索し、ヘッダとＩ−ＶＯＰとを合わせたデータサイズを読み込む。この読み込まれたデータサイズをもとに配信データ１０４をそれぞれ生成し、生成された複数の配信データ１０４を一覧表示データとして映像受信装置４に向けて配信する。
【００３５】
一方、映像受信装置４では、上記配信された一覧表示データをネットワークインターフェイス４３により受信する。受信された一覧表示データは表示装置５に出力され、表示装置５において図９に示すような多分割表示で表示される。また、ユーザにより、この一覧表示の中から１つが選択されると、選択された時刻からの再生が開始する。
【００３６】
以上述べたようにこの実施形態では、映像蓄積配信サーバ６のＣＰＵ６１は、フレーム間圧縮された映像データ１０１をＧＯＶデータ１０２ごとにデータメモリ６２に記憶する。そして、記憶されたＧＯＶデータ１０２からヘッダとＩ−ＶＯＰとを合わせたデータサイズ（Ｉのみ配信サイズ）を計算する。この計算されたＩのみ配信サイズを含む付加情報１０３を各ＧＯＶデータ１０２にそれぞれ付与して記憶装置７に記憶する。そして、早送り再生等の要求を受信すると、記憶装置７から該当する付加情報１０３をデータメモリ６２に読み出す。この読み出された付加情報１０３に含まれるＩのみ配信サイズに従って配信データ１０４を生成し、生成された配信データを要求元の映像受信装置４にネットワーク1を介して送信するようにしている。
【００３７】
したがってこの実施形態によれば、映像配信装置６からは、付加情報１０３をもとに抽出された単独で再生可能なフレーム（Ｉ−ＶＯＰ）のみの映像データが配信されるため、上記映像受信装置４において、受信処理にかかる負荷の軽減、及び再生に要するメモリ容量を節約することができる。また、伝送路に送られるデータ量を削減することができるため、ネットワーク帯域を有効に利用することが可能となる。このため、ネットワーク容量が小さい伝送路であっても、効率よく映像を配信することが可能となる。
【００３８】
また、映像蓄積配信サーバ６において、映像発信装置３から映像データを受信すると共に、受信された各ＧＯＶデータに付加情報１０３を付与して記憶装置７に記憶するようにしている。これにより、映像蓄積配信サーバ６からネットワーク帯域を有効に利用し、映像受信装置における処理負荷や必要なメモリ容量を低減したライブ映像の配信を行なうことも可能である。
【００３９】
なお、この発明は、上記実施形態に限定されるものではない。例えば、上記実施形態の（１）に述べた映像蓄積配信サーバ６の映像蓄積処理において、予めＩのみの配信サイズを付与してＧＯＶデータを記憶装置７に記憶するように構成したが、映像蓄積時にはＧＯＶデータをそのまま記憶しておき、映像配信時にＩのみ配信サイズを計算して、配信データ１０４を生成することも可能である。
【００４０】
さらに、この実施形態において、配信データ１０４は、ＧＯＶデータ１０２からＰ−ＶＯＰを除いたもの、つまり、付加情報とヘッダとＩ−ＶＯＰデータとを含むように構成したが、これに限らず、配信データ１０４には上記付加情報を含まず、ヘッダとＩ−ＶＯＰデータとから構成するようにしてもよい。このようにすると、さらに伝送路に送られるデータ量がさらに減少するため、ネットワークにおける負荷をより低減した映像配信が可能である。
【００４１】
また、上記実施形態では、映像受信装置５から各種再生要求が送信されるように構成したが、次のように構成してもよい。映像受信装置５において各種再生要求（早送り再生、逆再生、早巻き戻し再生、および再生）に対応するＧＯＶデータのＩＤを抽出し、抽出されたＩＤを映像蓄積配信サーバ６に送信する。映像蓄積配信サーバ６は、この送信されたＩＤを受信し、受信したＩＤに該当するＧＯＶデータからＩのみ配信サイズに従って配信データ１０４を作成し、この配信データ１０４を映像受信装置５に向けて送信するようにしてもよい。
【００４２】
上記実施形態の（２Ａ）〜（２Ｄ）に述べた各種再生処理について、連続したすべてのＩ−ＶＯＰを再生するように構成したが、さらにＩ−ＶＯＰを間欠的に間引きして配信データを作成するようにしてもよい。このように構成すると、伝送路に送られるデータ量がさらに減少するため、ネットワークにおける負荷をより低減した映像配信が可能である。これにより、例えば、携帯情報端末のような、処理能力やメモリ容量が小さい映像受信装置においても対応することができる。
【００４３】
また、図１に示した映像蓄積配信システムに設けられる映像生成装置２と映像発信装置３は、１つの装置として結合された形態で構成されてもよい。また、映像受信装置４と表示装置５は、１つの装置として結合された形態で構成されてもよい。例えば、テレビジョンモニタに映像受信部が内蔵された形態、コンピュータにＣＲＴモニタが接続された形態、またはＬＣＤを備えた携帯電話等の携帯端末が挙げられる。
【００４４】
さらに、上記実施形態の（３）に述べた静止画の一覧表示において、一定時間ごとの映像の一覧表示について説明したが、アラームや画面上の映像変化が検知された時刻の映像の一覧を表示することも可能である。具体的には、例えば、画像認識センサ、磁気センサ、赤外線センサ、圧力センサ、熱センサ等により監視領域内の侵入者などの異常が検知された情報を図４の付加情報１０３におけるその他で示す領域に格納して記憶装置７に記憶する。そして、映像蓄積配信サーバ６は、静止画の一覧表示要求を受信した場合に、上記格納された付加情報１０３における異常検知情報をもとに、異常が検知された時刻の一覧表示データを生成して配信する。このようにすると、ユーザは、異常が検知された時刻の映像を一目で視認することができる。
【００４５】
また、上記実施形態では、映像蓄積配信サーバ６と映像受信装置４とがネットワーク１を介して接続される構成であるが、ネットワーク配信という形態ではなく、単にＤＶＤ等の記録媒体に映像データを記憶し、記録媒体に記憶された映像データを再生する映像記録再生装置等においてこの発明の内容が実現されてもよい。また、この実施形態では、データの映像符号化方式にＭＰＥＧを例にとって説明したが、この発明は、ＭＰＥＧ以外の他の映像符号化方式により符号化されたデータに対しても適用可能である。その他にも、映像蓄積配信システムに設けられる各装置の台数及び構成、映像蓄積配信サーバ６のプログラムメモリ６４に格納される映像蓄積プログラム６４ａ及び映像配信プログラム６４ｂの処理手順とその処理内容についても、この発明を逸脱しない範囲で種々に変形して実施できる。
【００４６】
要するにこの発明は、上記実施形態そのままに実施されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００４７】
【図１】この発明に係わる映像蓄積配信サーバを用いた映像蓄積配信システムの概略構成図。
【図２】図１に示す映像蓄積配信サーバの機能構成を示すブロック図。
【図３】図２に示す映像受信装置の機能構成を示すブロック図。
【図４】図２に示す映像蓄積配信サーバに蓄積及び配信されるデータの構成を示す図。
【図５】図２に示す映像蓄積配信サーバから早送り再生時に配信されるデータの構成を示す図。
【図６】図２に示す映像蓄積配信サーバから逆再生時に配信されるデータの構成を示す図。
【図７】図２に示す映像蓄積配信サーバから早巻き戻し時に配信されるデータの構成を示す図。
【図８】図２に示す映像蓄積配信サーバから再生時に配信されるデータの構成を示す図。
【図９】図１に示す表示装置に表示される画面構成の一例を示す図。
【図１０】図２に示す映像蓄積配信サーバによる映像蓄積の処理手順と処理内容を示すフローチャート。
【図１１】図２に示す映像蓄積配信サーバによる映像配信の処理手順と処理内容を示すフローチャート。
【符号の説明】
【００４８】
１…ネットワーク、２…映像生成装置、３…映像発信装置、４…映像受信装置、５…表示装置、６…映像蓄積配信サーバ、７…記憶装置、６１…ＣＰＵ、６２…データメモリ、６３…ネットワークインターフェイス、６４…プログラムメモリ、６４ａ…映像蓄積プログラム、６４ｂ…映像配信プログラム、６５…バス、６６…記憶装置インターフェイス、４１…ＣＰＵ、４２…メモリ、４３…ネットワークインターフェイス、４４…表示装置インターフェイス、４５…画像コーデック、４６…バス、１０１…映像発信装置から出力される映像データ、１０２…ＧＯＶデータ、１０３…付加情報、１０４…I-VOPのみ配信時に配信されるデータ、１００１…早送り再生時に映像受信装置によりデコードされたフレームデータ、１００２…早送り再生時に映像蓄積配信サーバにより配信されるデータ、１１０１…逆再生時に映像受信装置によりデコードされたフレームデータ、１１０２…逆再生時に映像蓄積配信サーバにより配信されるデータ、１２０１…早巻き戻し再生時に映像受信装置によりデコードされたフレームデータ、１２０２…早巻き戻し再生時に映像蓄積配信サーバにより配信されるデータ、１３０１…再生時に映像受信装置によりデコードされたフレームデータ、１３０２…再生時に映像蓄積配信サーバにより配信されるデータ。
【図１】
2006217329.tif 000003
【図２】
2006217329.tif 000004
【図３】
2006217329.tif 000005
【図４】
2006217329.tif 000006
【図５】
2006217329.tif 000007
【図６】
2006217329.tif 000008
【図７】
2006217329.tif 000009
【図８】
2006217329.tif 000010
【図９】
2006217329.tif 000011
【図１０】
2006217329.tif 000012
【図１１】
2006217329.tif 000013